(57)【要約】      （修正有）【課題】配送物に貼付した受領票を剥がしたときに、受領票が水に濡れていた場合であっても、受領票が破れることがなく、きれいに剥がすことが可能な配送伝票を提供する。【解決手段】配送伝票１０は貼付票２１と受領票２２が分離可能に設けられた、紙からなる表面に印字性及び筆記性を有する伝票基材と、伝票基材１１の裏面に積層された粘着剤層１４と、粘着剤層１４の伝票基材１１とは反対側の面に剥離可能に積層された剥離シート１５とを有する。剥離シート１５を剥離除去して粘着剤層１４を配送物品に貼着し、配送先で粘着剤層１４から受領票２２を剥離して持ち帰る形式であって、受領票２２は、第１及び第２の擬似接着層１２Ａ、１２Ｂ、１３を介して粘着剤層１４に積層され、第１の擬似接着層１２Ａ、１２Ｂと第２の擬似接着層１３との層間で剥離可能であり、第１及び第２の擬似接着層１２Ａ、１２Ｂ、１３は、互いに異なる水不溶性熱可塑性樹脂からなる。【選択図】図２
0003178210.tif 000002
【実用新案登録請求の範囲】
【請求項１】
少なくとも貼付票及び受領票が分離可能に設けられた、紙からなる表面に印字性及び筆記性を有する伝票基材と、前記伝票基材の裏面に積層された粘着剤層と、前記粘着剤層の前記伝票基材とは反対側の面に剥離可能に積層された剥離シートとを有し、
前記剥離シートを剥離除去して前記粘着剤層を配送物品に貼着し、配送先で前記粘着剤層から前記受領票を剥離するように構成された配送伝票であって、
前記受領票は、第１及び第２の擬似接着層を介して前記粘着剤層に積層され、前記第１の擬似接着層と、前記第２の擬似接着層との層間で剥離可能であり、
前記第１及び第２の擬似接着層は、互いに異なる水不溶性熱可塑性樹脂からなることを特徴とする配送伝票。
【請求項２】
前記伝票基材は、感熱紙であることを特徴とする請求項１に記載の配送伝票。
【請求項３】
前記第１及び第２の擬似接着層は、ポリエチレンとポリエステル、ポリエチレンとポプロピレン、ポリプロピレンとポリスチレン、ポリプロピレンとポリエステル、及びポリプロピレンとポリメチルペンテンからなる群から選択される組み合わせからなることを特徴とする請求項１に記載の配送伝票。
【請求項４】
前記第１及び第２の擬似接着層と前記粘着剤層とは、中間基材を介して積層されることを特徴とする請求項１に記載の配送伝票。
【請求項５】
前記伝票基材の少なくとも一方の面の少なくとも一部の領域に隠蔽層を有することを特徴とする請求項１に記載の配送伝票。
【請求項６】
前記隠蔽層は、前記第１の擬似接着層と一体的に剥離されることを特徴とする請求項５に記載の配送伝票。
【請求項７】
前記中間基材は、クラフト紙、上質紙、グラシン紙、パーチメント紙、レーヨン紙、コート紙、ポリエチレンテレフタレート、ポリエチレン及びポリプロピレンからなる群から選ばれるいずれかであることを特徴とする請求項４に記載の配送伝票。
【請求項８】
前記粘着剤層は、アクリル系粘着剤、天然ゴム系粘着剤、合成ゴム系粘着剤及びシリコーン系粘着剤からなる群から選ばれるいずれかであることを特徴とする請求項１に記載の配送伝票。
【考案の詳細な説明】
【技術分野】
【０００１】
本考案は、物品の搬送や管理等に使用される配送伝票に関する。
【背景技術】
【０００２】
例えば、郵便、宅配便、通信販売などにおいて商品の受注、発送、顧客の受け取り等の工程からなる流通過程を管理するために、伝票類が用いられる。広く用いられている伝票の１つとして、感圧紙を複数枚積層された伝票がある。このような伝票に商品名、送り先などの情報を書き込む際には、強い圧力を加えないと一番下の伝票まで鮮明に書き込むことができないため、ボールペン、タイプライター、ドットプリンター等が必要になる。しかし、ボールペン、タイプライターを用いての書き込みは煩雑な手作業であり、また時には誤字・脱字・写し違いなどにより誤送の原因となる。また、ドットプリンターでは印字に時間がかかる等の欠点がある。さらに、このような複数枚の紙が積層してなる伝票は、流通過程で破れたり、剥れ落ちたりすることもある。
【０００３】
上記問題点を解決するために、例えば、表面基材、擬似接着層、粘着剤層、及び剥離シートがこの順に積層されてなり、表面基材と擬似接着層との間が剥離可能なように擬似接着された擬似接着ラベルが配送伝票に使用される。擬似接着ラベルは、剥離シートが剥離された後、粘着剤層が配送物に貼付されて、配送伝票として使用される（例えば、特許文献１参照）。
【０００４】
このような擬似接着の配送伝票には、通常、種々の印刷が施された表面基材の表面にミシン目の切れ目や、連続的な一条の切れ目によって形成された断裁線が入れられており、１枚の表面基材が２つのラベル部として分離して剥離可能となっている。そして、例えば、一方のラベル部が配送情報の記入された貼付票として使用されると共に、他方のラベル部が、受領票として使用され、捺印・サイン後に配達人によって持ち帰られ、配達業者の伝票整理等に使用される。
【０００５】
擬似接着の配送伝票を用いれば、郵便、宅配便、通信販売などにおいて商品の受注から顧客の受け取りまで１枚のシートで流通過程を管理することが可能であり、さらに流通過程における伝票の破れや紛失等も防止することができる。また、レーザープリンター、熱転写等による情報の書き込みが可能であるため、記入が迅速に行えると共に、誤字・脱字等も低減させることができる。
【先行技術文献】
【特許文献】
【０００６】
【特許文献１】特公昭５５−１５０３５号公報
【考案の概要】
【考案が解決しようとする課題】
【０００７】
しかし、表示基材、つまり伝票基材は、一般的に、紙を材料とする基材であり、破れ易いという性質を有している。このような配送物が届いた配送先においては、配送物から受領票を剥がす際に、受領票が雨等により水に濡れていると、受領票が非常に破れやすくなる。
【０００８】
そこで、本考案は上記問題を解決するために成されたものであり、その目的は、配送物に貼付した受領票を剥がしたときに、受領票が雨等により水に濡れていた場合であっても、受領票が破れることがなく、きれいに剥がすことが可能な配送伝票を提供することにある。
【課題を解決するための手段】
【０００９】
本考案は上記課題を解決するためになされたものであり、本考案に係る配送伝票は、少なくとも貼付票及び受領票が分離可能に設けられた、紙からなる表面に印字性及び筆記性を有する伝票基材と、伝票基材の裏面に積層された粘着剤層と、粘着剤層の伝票基材とは反対側の面に剥離可能に積層された剥離シートとを有し、剥離シートを剥離除去して粘着剤層を配送物品に貼着し、配送先で前記粘着剤層から受領票を剥離するように構成された配送伝票であって、受領票は、第１及び第２の擬似接着層を介して粘着剤層に積層され、第１の擬似接着層と、第２の擬似接着層との層間で剥離可能であり、第１及び第２の擬似接着層は、互いに異なる水不溶性熱可塑性樹脂からなることを特徴とする。
【００１０】
本考案に係る配送伝票では、少なくとも受領票は、第１及び第２の擬似接着層を介して粘着剤層に積層され、第１の擬似接着層と、第２の擬似接着層との層間で剥離可能であり、第１及び第２の擬似接着層は、互いに異なる水不溶性熱可塑性樹脂からなることにより、配送物に貼付した受領票を剥がしたときに、受領票が雨等により水に濡れていた場合であっても、受領票が破れることがなく、きれいに剥がすことが可能となる。
【００１１】
伝票基材は、感熱紙であることが好ましく、また、熱可塑性樹脂は、ポリオレフィン樹脂であることが好ましい。また、第１及び第２の擬似接着層は、ポリエチレンとポリエステル、ポリエチレンとポプロピレン、ポリプロピレンとポリスチレン、ポリプロピレンとポリエステル、及びポリプロピレンとポリメチルペンテンからなる群から選択される組み合わせからなることが好ましい。
【００１２】
第１及び第２の擬似接着層と粘着剤層とは、中間基材を介して積層されても構わない。このように構成することにより、中間基材の表面に広告等の各種情報を印刷して、受領票が剥がされたときに表示することができる。
【００１３】
伝票基材の少なくとも一方の面の少なくとも一部の領域に隠蔽層を有することが好ましい。隠蔽層を設けることにより、粘着剤層に印刷して形成された情報や配送物等に記載されている情報を隠蔽することができる。このような隠蔽層は、第１の擬似接着層と一体的に剥離される。
【００１４】
中間基材は、クラフト紙、上質紙、グラシン紙、パーチメント紙、レーヨン紙、コート紙、ポリエチレンテレフタレート、ポリエチレン及びポリプロピレンからなる群から選ばれるいずれかであることが好ましい。また、粘着剤層は、アクリル系粘着剤、天然ゴム系粘着剤、合成ゴム系粘着剤及びシリコーン系粘着剤からなる群から選ばれるいずれかであることが好ましい。
【考案の効果】
【００１５】
本考案の配送伝票によれば、少なくとも受領票は、第１及び第２の擬似接着層を介して粘着剤層に積層され、第１の擬似接着層と、第２の擬似接着層との層間で剥離可能であり、第１及び第２の擬似接着層は、互いに異なる水不溶性熱可塑性樹脂からなることにより、配送物に貼付した受領票を剥がしたときに、受領票が雨等により水に濡れていた場合であっても、受領票が破れることがなく、きれいに剥がすことが可能な配送伝票が提供される。
【図面の簡単な説明】
【００１６】
【図１】本考案の第１実施形態に係る配送伝票を模式的に示す平面図である。
【図２】本考案の第１実施形態に係る配送伝票を模式的に示す断面図である。
【図３】本考案の第２実施形態に係る配送伝票を模式的に示す断面図である。
【図４】本考案の第３実施形態に係る配送伝票を模式的に示す断面図である。
【考案を実施するための形態】
【００１７】
以下、図面を参照しつつ本考案の実施形態について説明する。
【００１８】
＜第１実施形態＞
図１は、本考案の第１実施形態に係る配送伝票を模式的に示す平面図である。図２は本考案の第１実施形態に係る配送伝票を模式的に示す断面図である。
【００１９】
図１に示すように、本考案の第１実施形態に係る配送伝票１０は、略中央部に断裁線２０を備えた伝票基材１１を備え、図２（ａ）に示すように、伝票基材１１の裏面に擬似接着される第１の擬似接着層１２Ａ、１２Ｂ、第１の擬似接着層１２Ａ、１２Ｂの裏面に接着された第２の擬似接着層１３、第２の擬似接着層１３の裏面に接着された粘着剤層１４がこの順に積層された積層構造を備える。粘着剤層１４の裏面には剥離シート１５が貼着されており、配送伝票１０は、剥離シート１５が粘着剤層１４から剥離され、露出した粘着剤層１４によって、被着物（図示せず）に貼着されて使用される。
【００２０】
断裁線２０は、伝票基材１１を左右の矩形シート（これらを貼付票２１、受領票２２という）として分離して、第１の擬似接着層１２Ａ、１２Ｂと一体の状態で第２の擬似接着層１３から剥離可能とするために設けられる。本実施形態では、断裁線２０は、伝票基材１１の下辺１０Ａから上辺１０Ｂまで直線的に縦方向に延在する。図２（ａ）に示すように、断裁線２０は伝票基材１１の表面から切り込まれて、伝票基材１１、第１の擬似接着層１２Ａ、１２Ｂを貫通する。そして、伝票基材１１を貼付票２１、受領票２２の２つに分離し、第１の擬似接着層１２Ａ、１２Ｂを第１の擬似接着層１２Ａ、１２Ｂの２つに分離する。
【００２１】
伝票基材１１は、少なくとも貼付票２１及び受領票２２が分離可能に設けられた、印字性及び筆記性を有する紙からなる。伝票基材１１は、例えばその表面が文字等の情報が表示されるための面に使用される。伝票基材１１に用いられる紙として、例えば感熱紙、クラフト紙、上質紙、グラシン紙、パーチメント紙、レーヨン紙、コート紙などが挙げられ、感熱紙であることが好ましい。伝票基材１１の厚みは、特に限定されないが、例えば１０〜２００μｍであることが好ましく、１５〜１５０μｍであることがより好ましい。
【００２２】
第１及び第２の擬似接着層１２Ａ、１２Ｂ、１３は、互いに異なる水不溶性熱可塑性樹脂からなり、第１の擬似接着層１２Ａ、１２Ｂと第２の擬似接着層１３との層間で剥離可能である。このように、第１及び第２の擬似接着層１２Ａ、１２Ｂ、１３の層間で剥離可能となる熱可塑性樹脂の組み合わせとしては、例えばポリエチレンとポリエステル、ポリエチレンとポプロピレン、ポリプロピレンとポリスチレン、ポリプロピレンとポリエステル及びポリプロピレンとポリメチルペンテンらなる群から選択される組み合わせが挙げられる。第１及び第２の擬似接着層１２Ａ、１２Ｂ、１３それぞれの厚みは、特に限定されないが、１０〜５０μｍであることが好ましく、１５〜４０μｍであることがより好ましい。
【００２３】
第１及び第２の擬似接着層１２Ａ、１２Ｂ、１３の形成方法としては、例えば伝票基材１１の裏面に、上記熱可塑性樹脂をその融点以上の初期温度で溶融させて共押し出し塗工することにより形成される。次いで、露出している第２の擬似接着層１３の表面に、粘着剤層１４／剥離シート１５の積層体を重ね合わせて、圧着することにより、伝票基材１１／第１及び第２の擬似接着層１２Ａ、１２Ｂ、１３／粘着剤層１４／剥離シート１５の積層構成が形成される。これにより、第１及び第２の擬似接着層１２Ａ、１２Ｂ、１３と伝票基材１１及び粘着剤層１４とはそれぞれ強固に接着し、異なる熱可塑性樹脂が積層された第１及び第２の擬似接着層１２Ａ、１２Ｂ、１３の層間は適度な剥離力で剥離可能となる。なお、適宜、形成時にかける温度や圧力を調整することにより剥離力は調整可能である。
【００２４】
粘着剤層１４は、第２の擬似接着層１３の伝票基材１１とは反対側の面に積層されており、配送伝票１０を配送物（図示せず）に粘着させるための層であって、アクリル系粘着剤、天然ゴム系粘着剤、合成ゴム系粘着剤、シリコーン系粘着剤等の従来公知の粘着剤から形成される。粘着剤層の厚さは、特に限定されないが、例えば５〜５０μｍ、好ましくは１０〜４０μｍである。粘着剤層１４は、例えば、剥離シート１５の表面に粘着剤が塗布されて形成される。そして、その剥離シート１５の上に形成された粘着剤層１４に、伝票基材１１側の第２の擬似接着層１３が貼り合わされることにより、配送伝票１０が得られる。但し、粘着剤層１４は、伝票基材１１に積層されている第２の擬似接着層１３の裏面の上に直接塗布して形成され、その上に剥離シート１５が貼り合わされて配送伝票１０が形成されても良い。
【００２５】
剥離シート１５は、配送伝票１０の保管時（未使用時）において、粘着剤層１４の第２の擬似接着層１３側とは反対側である貼付面を保護する機能を有する機能を有している。このような剥離シート１５としては、例えば、クラフト紙、上質紙、グラシン紙、パーチメント紙、レーヨン紙、コート紙等の紙；ポリエチレンラミネート紙、ポリプロピレンラミネート紙等のラミネート紙類；ポリエチレンテレフタレート等のポリエステル系フィルム、ポリエチレン、ポリプロピレン等のポリオレフィン系フィルム等の合成樹脂フィルム等が使用できる。また、剥離シート１５は、必要に応じてこれらの材料の片面または両面にシリコーン樹脂等により剥離処理が施されたものを使用してもよい。また、剥離シート１５の平均厚さは、１０〜２００μｍであることが好ましく、１５〜１００μｍであることがより好ましい。
【００２６】
このような配送伝票１０は、打ち抜き加工が施されることにより、伝票基材１１、第１及び第２の擬似接着層１２Ａ、１２Ｂ、１３及び粘着剤層１４が打ち抜き切断された後、カス上げによって不要部分が剥離シート１５から取り除かれ、下辺１０Ａ及び上辺１０Ｂを長辺とし、左右の側辺１０Ｃ、１０Ｄを短辺とする略矩形のラベルに形成される。配送伝票１０は、打ち抜き加工と共に略中央部にミシン目加工が施され、伝票基材１１の略中央部に断裁線２０が形成される。打ち抜き加工及びミシン目加工は、例えば、ダイカッタが用いられて行われるが、レーザー照射等によって行われても良い。
【００２７】
次に、配送伝票１０における伝票基材１１の剥離方法について説明する。
【００２８】
伝票基材１１の受領票２２の切り離しは、例えば、下辺１０Ａと断裁線２０が交差する位置にある受領票２２の角部２２Ｃを剥離開始部として摘まんで伝票基材１１を矢印Ａの方向に引き剥がすことにより行う。角部２２Ｃを摘まんで矢印Ａの方向に引き剥がすと、伝票基材１１の受領票２２は、図１に示す断裁線２０の下辺１０Ａ側端部より剥離が開始され、断裁線２０に沿って剥離される。つまり、受領票２２は、図２（ｂ）に示すように、貼付票２１側を第２の擬似接着層１３上に残した状態で、断裁線２０に沿って断裁されながら、第１の擬似接着層１２Ａと一体の状態で第２の擬似接着層１３から一体的に剥離される。なお、受領票２２は、上辺１０Ｂと断裁線２０が交差する位置にある角部２２Ｄが剥離開始部として剥離される場合も同様に剥離される。
【００２９】
本考案の第１実施形態に係る配送伝票１０によれば、少なくとも受領票２２は、第１及び第２の擬似接着層１２Ａ、１２Ｂ、１３を介して粘着剤層１４に積層され、第１の擬似接着層１２Ａ、１２Ｂと、第２の擬似接着層１３との層間で剥離可能であり、第１及び第２の擬似接着層１２Ａ、１２Ｂ、１３は、互いに異なる水不溶性熱可塑性樹脂からなることにより、配送物に貼付した受領票２２を剥がしたときに、受領票２２が雨等により水に濡れていた場合であっても、受領票２２が破れることがなく、きれいに剥がすことが可能となる。なお、第１及び第２の擬似接着層１２Ａ、１２Ｂ、１３が水不溶性熱可塑性樹脂ではなく、水溶性の樹脂である場合、配送物から伝票として受領票２２を剥がす際に、受領票２２が雨等により水に濡れていると、受領票２２が非常に破れやすくなる。
【００３０】
また、本考案の第１実施形態においては、受領票２２に加えて、貼付票２１も剥離可能となっていることが好ましい。この場合には、例えば、下辺１０Ａと断裁線２０が交差する位置にある貼付票２１の角部２１Ｃ、上辺１０Ｂと断裁線２０が交差する位置にある角部２１Ｄが、剥離開始部として使用される。このようにすることにより、個人情報の記載された貼付票２１を受取人が被着物から除去することができる。
【００３１】
なお、本実施形態では、伝票基材１１等にマーク等が付されて、例えば、角部２２Ｃが受領票２２の剥離開始部であることが示されていても良い。
【００３２】
なお、本実施形態において、貼付票２１、受領票２２は略矩形であったが、その形状は矩形に限定されず、例えば三角形等他の多角形でも良いし、円形等であっても良い。矩形形状以外の場合であっても、断裁線２０から伝票基材１１が剥離される。
【００３３】
また、配送伝票１０の構造や材質は、上記実施形態に限定されない。例えば、伝票基材１１、第１及び第２の擬似接着層１２Ａ、１２Ｂ、１３、粘着剤層１４以外の層を備えたものであっても構わない。
【００３４】
＜第２実施形態＞
次に、本考案の第２実施形態に係る配送伝票を図３を用いて説明する。第２実施形態は、伝票基材１１の下面に隠蔽層１２０Ａ、１２０Ｂを設けた点で第１実施形態と相違する。図３（ａ）は、本考案の第２実施形態に係る配送伝票１１０を模式的に示す断面図であり、図３（ｂ）は、受領票２２側が、隠蔽層１２０Ａ及び第１の擬似接着層１２Ａと一体の状態で剥離した状態を模式的に示す断面図である。以下の説明では、第１実施形態と同一の構成を有する部材については、同一の符号を付して説明を省略する。
【００３５】
図３（ａ）に示すように、第２実施形態では、伝票基材１１の下面と第１の擬似接着層１２Ａ、１２Ｂとの間に、伝票基材１１の少なくとも一部の領域を遮蔽する隠蔽層１２０Ａ、１２０Ｂを設けている。この場合、断裁線２０は、伝票基材１１の表面から切り込まれて、伝票基材１１、隠蔽層１２０Ａ、１２０Ｂ及び第１の擬似接着層１２Ａ、１２Ｂを貫通する。そして、伝票基材１１を貼付票２１、受領票２２の２つに分離し、第１の擬似接着層１２Ａと第１の擬似接着層１２Ｂの２つに分離する。粘着剤層１４の第２の擬似接着層１３側の面、または第２の擬似接着層１３の粘着剤層１４側の面には、一部に文字等の情報（図示せず）が記載されている。
【００３６】
隠蔽層１２０Ａ、１２０Ｂは、粘着剤層１４表面に記載された文字等の情報を遮蔽するように設けられている。このような隠蔽層１２０Ａ、１２０Ｂは、有色顔料を含有する樹脂を伝票基材１１の下面の少なくとも一部の領域に積層することにより形成される。
【００３７】
本考案の第２実施形態に係る配送伝票１０では、伝票基材１１の下面と第１の擬似接着層１２Ａ、１２Ｂとの間に、伝票基材１１の少なくとも一部の領域を遮蔽する隠蔽層１２０Ａ、１２０Ｂを設けることにより、粘着剤層１４に印刷して形成された情報等を隠蔽することができる。
【００３８】
なお、隠蔽層１２０Ａ、１２０Ｂは、粘着剤層１４の上面と第２の擬似接着層１３との間に設けられても構わない。また、隠蔽層１２０Ａ、１２０Ｂは、伝票基材１１の裏面全体を完全に覆うように形成されている必要はなく、ランダムな図形や文字等を情報が隠れるように配置されていても構わない。
【００３９】
また、隠蔽層１２０Ａ、１２０Ｂは完全に層状に形成されている必要はなく、多少、粘着剤層１４が透けて見えていても構わない。なお、隠蔽層１２０Ａ、１２０Ｂは、伝票基材１１を剥離する際に、第１の擬似接着層１２Ａ、１２Ｂとの間で剥がれない程度の粘着力で第１の擬似接着層１２Ａ、１２Ｂと接着されていればよい。
【００４０】
＜第３実施形態＞
次に、本考案の第３実施形態に係る配送伝票２１０を図４を用いて説明する。第３実施形態は、第２の擬似接着層１３と粘着剤層１４との間に中間基材１３０を設けた点で第１実施形態と相違する。図４（ａ）は、本考案の第３実施形態に係る配送伝票２１０を模式的に示す断面図であり、図４（ｂ）は、受領票２２側が、第１の擬似接着層１２Ａと一体の状態で剥離した状態を模式的に示す断面図である。以下の説明では、第１実施形態と同一の構成を有する部材については、同一の符号を付して説明を省略する。
【００４１】
図４（ａ）に示すように、第３実施形態では、第２の擬似接着層１３の下面と粘着剤層１４との間に、中間基材１３０を設けている。中間基材１３０に用いる材料は特に限定されないが、クラフト紙、上質紙、グラシン紙、パーチメント紙、レーヨン紙、コート紙等の紙；ポリエチレンテレフタレート等のポリエステル系フィルム、ポリエチレン、ポリプロピレン等のポリオレフィン系フィルム等の合成樹脂フィルム等が使用可能である。中間基材１３０の厚みは、特に限定されないが、１０〜２００μｍであることが好ましく、１５〜１５０μｍであることがより好ましい。
【００４２】
中間基材１３０を設ける場合の第１及び第２の擬似接着層１２Ａ、１２Ｂ、１３の形成方法は、例えば伝票基材１１と中間基材１３０との間に、上記熱可塑性樹脂を溶融して共押し出し塗工して貼り合わせるサンドイッチラミネーション法により形成される。具体的には、伝票基材１１の裏面側に、上記熱可塑性樹脂をその融点以上の初期温度で溶融させて共押し出し塗工し、第１及び第２の擬似接着層１２Ａ、１２Ｂ、１３を形成した直後に、中間基材１３０／粘着剤層１４／剥離シート１５の積層体を重ね合わせて、クーリングロールで冷却圧着することにより、伝票基材１１／第１及び第２の擬似接着層１２Ａ、１２Ｂ、１３／中間基材１３０／粘着剤層１４／剥離シート１５の積層構成が形成される。これにより、第１及び第２の擬似接着層１２Ａ、１２Ｂ、１３と伝票基材１１及び中間基材１３０とは強固に接着し、異なる熱可塑性樹脂が積層された第１及び第２の擬似接着層１２Ａ、１２Ｂ、１３の層間は適度な剥離力で剥離可能となる。
【００４３】
本考案の第３実施形態に係る配送伝票２１０では、中間基材１３０を設けることにより、配送伝票２１０の強度が増し、配送伝票２１０を被着物に貼着するのが容易になる。
【００４４】
なお、第３実施形態に係る配送伝票２１０においても、第２実施形態と同様に、所定の場所に隠蔽層１２０Ａ、１２０Ｂを設けても構わない。
【符号の説明】
【００４５】
１０、１１０、２１０  配送伝票
１１  伝票基材
１２Ａ、１２Ｂ  第１の擬似接着層
１３  第２の擬似接着層
１４  粘着剤層
１５  剥離シート
２０  断裁線
２１  貼付票 
２２  受領票
１２０Ａ、１２０Ｂ  隠蔽層
１３０  中間基材
【図１】
0003178210.tif 000003
【図２】
0003178210.tif 000004
【図３】
0003178210.tif 000005
【図４】
0003178210.tif 000006